【手続補正書】
【提出日】平成27年12月25日(2015.12.25)
【手続補正１】
【補正対象書類名】特許請求の範囲
【補正対象項目名】全文
【補正方法】変更
【補正の内容】
【特許請求の範囲】
【請求項１】
回路基板（１１，３２，４１，４５）と、
この回路基板上に、着脱可能に固定される電池（１４）と、
前記回路基板上に配置され、電源より通電が行われると発熱する発熱体（１６）と、
この発熱体に接するように配置され、当該発熱体が発した熱を、前記電池に伝達する伝熱部材（１９，３１，４２）とを備え、
前記電池は、前記伝熱部材を介して、前記回路基板上に着脱可能に固定され、
前記伝熱部材（１９，４２）は、
前記回路基板に固定されると共に、前記電池を保持する形状の電池保持部（１９Ａａ，４２Ａａ）を有して構成される金属製の電池保持体（１９Ａ，４２Ａ）と、
前記回路基板と前記電池保持体及び前記電池との間に介挿され、弾性を有するシート状の伝熱材（１９Ｂ，４２Ｂ）とを有し、
前記電池保持体（１９Ａ，３１）は、一端側が前記回路基板に固定され、他端側に前記電池保持部を有する形状に構成されていることを特徴とする回路基板構造。
【請求項２】
回路基板（１１，３２，４１，４５）と、
この回路基板上に、着脱可能に固定される電池（１４）と、
前記回路基板上に配置され、電源より通電が行われると発熱する発熱体（１６）と、
この発熱体に接するように配置され、当該発熱体が発した熱を、前記電池に伝達する伝熱部材（１９，３１，４２）とを備え、
前記電池は、前記伝熱部材を介して、前記回路基板上に着脱可能に固定され、
前記伝熱部材（１９，４２）は、
前記回路基板に固定されると共に、前記電池を保持する形状の電池保持部（１９Ａａ，４２Ａａ）を有して構成される金属製の電池保持体（１９Ａ，４２Ａ）と、
前記回路基板と前記電池保持体及び前記電池との間に介挿され、弾性を有するシート状の伝熱材（１９Ｂ，４２Ｂ）とを有し、
前記電池保持体（４２Ａ）は、両端側が前記回路基板に固定され、前記両端の間に前記電池保持部を有する形状に構成されていることを特徴とする回路基板構造。
【請求項３】
回路基板（１１，３２，４１，４５）と、
この回路基板上に、着脱可能に固定される電池（１４）と、
前記回路基板上に配置され、電源より通電が行われると発熱する発熱体（１６）と、
この発熱体に接するように配置され、当該発熱体が発した熱を、前記電池に伝達する伝熱部材（１９，３１，４２）とを備え、
前記電池は、前記伝熱部材を介して、前記回路基板上に着脱可能に固定され、
前記伝熱部材（３１）は、
前記回路基板に固定されると共に、前記電池を保持する形状の電池保持部（３１ａ）を有し、且つ弾性を有する部材からなる電池保持体で構成され、
前記電池保持体（１９Ａ，３１）は、一端側が前記回路基板に固定され、他端側に前記電池保持部を有する形状に構成されていることを特徴とする回路基板構造。
【請求項４】
回路基板（１１，３２，４１，４５）と、
この回路基板上に、着脱可能に固定される電池（１４）と、
前記回路基板上に配置され、電源より通電が行われると発熱する発熱体（１６）と、
この発熱体に接するように配置され、当該発熱体が発した熱を、前記電池に伝達する伝熱部材（１９，３１，４２）とを備え、
前記電池は、前記伝熱部材を介して、前記回路基板上に着脱可能に固定され、
前記伝熱部材（３１）は、
前記回路基板に固定されると共に、前記電池を保持する形状の電池保持部（３１ａ）を有し、且つ弾性を有する部材からなる電池保持体で構成され、
前記電池保持体（４２Ａ）は、両端側が前記回路基板に固定され、前記両端の間に前記電池保持部を有する形状に構成されていることを特徴とする回路基板構造。
【請求項５】
前記発熱体は、前記回路基板（１１，４１）の一方の面側に配置され、
前記伝熱部材は、前記回路基板の他方の面側に配置されており、
前記回路基板は、前記発熱体が配置されている部分と、前記伝熱部材が配置されている部分とに対応する位置にスルーホール（２３，４４）が形成されており、前記スルーホールを介して前記発熱体から前記伝熱部材への熱伝導が行われることを特徴とする請求項１から４の何れか一項に記載の回路基板構造。
【請求項６】
前記発熱体は、チップ抵抗で構成されることを特徴とする請求項１から５の何れか一項に記載の回路基板構造。
【請求項７】
前記電池は、円筒状であり、
前記発熱体は、前記電池の外形の長手方向に沿うように配置されていることを特徴とする請求項１から６の何れか一項に記載の回路基板構造。
【請求項８】
前記発熱体は、前記電池の外形の長手方向に沿うように、前記電池の両側に配置されていることを特徴とする請求項７記載の回路基板構造。
【請求項９】
前記電池の温度を検出するための温度検出手段（２０）を備え、
前記温度検出手段は、前記回路基板上において、前記伝熱部材に近接して配置されていることを特徴とする請求項１から８の何れか一項に記載の回路基板構造。
【手続補正２】
【補正対象書類名】明細書
【補正対象項目名】０００７
【補正方法】変更
【補正の内容】
【０００７】
請求項１から４記載の回路基板構造によれば、回路基板上に電池と発熱体とを搭載し、発熱体が発した熱を電池に伝達する伝熱部材を備える。そして、電池を、伝熱部材を介して回路基板上に着脱可能に固定する。このように構成すれば、発熱体が発した熱を伝熱部材を介して電池に伝導させて電池を加熱できると共に、必要に応じて電池を伝熱部材より着脱して容易に交換することができる。
また、請求項１及び２記載の回路基板構造によれば、伝熱部材は、回路基板に固定されると共に、電池を保持する形状の電池保持部を有して構成される金属製の電池保持体と、回路基板と電池保持体及び電池との間に介挿され、弾性を有するシート状の伝熱材とを有している。
また、請求項３及び４記載の回路基板構造によれば、伝熱部材は、回路基板に固定されると共に、電池を保持する形状の電池保持部を有し、且つ弾性を有する部材からなる電池保持体で構成されている。
更に、請求項１及び３記載の回路基板構造によれば、電池保持体は、一端側が回路基板に固定され、他端側に電池保持部を有する形状に構成されている。
更にまた、請求項２及び４記載の回路基板構造によれば、電池保持体は、両端側が回路基板に固定され、その両端の間に電池保持部を有する形状に構成されている。
【手続補正３】
【補正対象書類名】明細書
【補正対象項目名】０００８
【補正方法】変更
【補正の内容】
【０００８】
請求項５記載の回路基板構造によれば、発熱体を回路基板の一方の面側に配置し、伝熱部材を回路基板の他方の面側に配置する。そして、回路基板における発熱体が配置されている部分と伝熱部材が配置されている部分とに対応する位置にスルーホールを形成し、そのスルーホールを介して発熱体から伝熱部材への熱伝導を行う。このように構成すれば、発熱体と伝熱部材とを回路基板の両面にコンパクトに配置できると共に、両者間の熱伝導をスルーホールを介して行うことで、熱の伝達効率も良好に維持できる。
【手続補正４】
【補正対象書類名】明細書
【補正対象項目名】０００９
【補正方法】変更
【補正の内容】
【０００９】
請求項６記載の回路基板構造によれば、発熱体をチップ抵抗で構成するので、チップ抵抗のサイズや配置数を調整することで、電池の加熱態様を簡単に調整できる。
請求項７記載の回路基板構造によれば、電池が円筒状の外形を有する際に、発熱体を電池の外形の長手方向に沿うように配置する。したがって、電池を効率的に加熱することができる。